(57)【特許請求の範囲】
【請求項１】
電線の被覆を一方のコマ分割体と他方のコマ分割体とで両側から挟持し、いずれか一方のコマ分割体に装着された被覆剥取刃で前記被覆を環状に剥ぎ取る被覆剥ぎコマであって、
当該被覆剥ぎコマは、外部動力により電線の軸周りに回転させるコマ駆動工具に取り付け可能であり、
前記一方のコマ分割体と前記他方のコマ分割体の挟持面により、前記電線を挟持した状態で、前記被覆剥取刃は、前記電線の被覆に臨むように取り付けられており、
さらに、当該被覆剥取刃の後方には、互いの間隔が、当該被覆剥取刃の幅よりも狭い２枚の保持板からなる被覆脱落防止部を備えたことを特徴とする被覆剥ぎコマ。
【請求項２】
前記保持板の一方は、他方の前記保持板に向けて傾斜していることを特徴とする請求項１に記載の被覆剥ぎコマ。
【発明の詳細な説明】
【技術分野】
【０００１】
本願発明は、例えば電柱間等に架設されている架空配電線の間接活線工法に関する。詳しくは、上記架空配電線の絶縁被覆部分を、その導線部分から軸方向に一定長さだけ剥離し、剥離した後の電線の被覆が路上等に落下するのを防止する被覆剥ぎコマに関する。
【背景技術】
【０００２】
従来、架空配電線の間接活線工法として、作業員が高所作業用バケットに搭乗し、絶縁操作棒（いわゆるホットスティック）等の上端に装備した切削刃を電線の中間部または端部において、その電線の周囲を周回させることにより、絶縁被覆を螺旋状に切削して剥離し、任意の長さだけ剥離する工法が採用されている。
【０００３】
そして、特許文献１に示す電線被覆屑の脱落防止工具は、切断された被覆が路上に落下して通行人や車両等に当たったり、路上に散乱して汚したりするのを防止するために、剥離された被覆を巻き付けて保持する巻付棒を備えている。具体的には、この特許文献１に示す電線被覆屑の脱落防止工具は、電線の軸方向に移動しながら何度も周回しつつ、被覆を螺旋状に切削してゆき、所定の長さに剥離できるまで続けるものである。そして、螺旋状に切削された被覆は、巻付棒に送り出されて順次巻き付くので、脱落することがないのである。
【０００４】
しかしながら、予め決められた所定の長さだけ電線の被覆を剥離したい場合、この特許文献１の電線被覆屑の脱落防止工具では、電線の軸方向に移動しながら何度も周回しなければならず、作業が面倒である。
【０００５】
そこで、決められた所定の長さだけ電線の被覆を剥離したい場合などは、電線の周囲を一度周回するだけで作業が完了すること、つまり一括で被覆剥ぎができることが望ましい。ただ、電線の周囲を一周だけ周回して被覆を剥離する場合は、剥離された被覆が環状になるので、従来の巻付棒に上手く巻きつくことができず、脱落する可能性がある。そこで、このような一括で被覆剥ぎができる工具において、剥離された被覆が脱落しないように、最適な構造を備えた被覆剥ぎ工具の開発が望まれていた。
【先行技術文献】
【特許文献】
【０００６】
【特許文献１】特開２０１３−１９２４３０
【発明の概要】
【発明が解決しようとする課題】
【０００７】
よって、本願発明は、上記問題に鑑み、一括で被覆剥ぎを行う場合に、剥離された被覆が脱落しないように、最適な構造を備える被覆剥ぎコマを提供する。
【課題を解決するための手段】
【０００８】
上記課題を解決するために、本願発明の被覆剥ぎコマは、電線の被覆を一方のコマ分割体と他方のコマ分割体とで両側から挟持し、いずれか一方のコマ分割体に装着された被覆剥取刃で前記被覆を環状に剥ぎ取る被覆剥ぎコマであって、当該被覆剥ぎコマは、外部動力により電線の軸周りに回転させるコマ駆動工具に取り付け可能であり、前記一方のコマ分割体と前記他方のコマ分割体の挟持面により、前記電線を挟持した状態で、前記被覆剥取刃は、前記電線の被覆に臨むように取り付けられており、さらに、当該被覆剥取刃の後方には、互いの間隔が、当該被覆剥取刃の幅よりも狭い２枚の保持板からなる被覆脱落防止部を備えたことを特徴とする。
【０００９】
上記特徴によれば、被覆脱落防止部の後端側保持部と先端側保持部の間隔が、被覆剥取刃の幅よりも狭くなっているという簡単で最適な構造により、剥ぎ取られて被覆剥取刃の後方へ送り出された被覆を圧縮して、脱落しないように保持することができる。
【００１０】
さらに、本願発明の被覆剥ぎコマは、前記保持板の一方は、他方の前記保持板に向けて傾斜していることを特徴とする。
【００１１】
上記特徴によれば、被覆剥取刃の後方へ順次送り出されてくる被覆を、その傾斜に沿って、徐々にスムーズに圧縮することができる。
【００１２】
さらに、本願発明の被覆剥ぎコマは、前記一方のコマ分割体と前記他方のコマ分割体を互いに連結する連結部は、前記被覆剥ぎコマを前記コマ駆動工具へ取り付けるための取付部とは反対の先端側に備えられていることを特徴とする。
【００１３】
電線の被覆を被覆剥取刃で剥離する際に、被覆剥取刃は被覆から大きな抵抗力を受けるが、上記特徴によれば、コマ分割体及びコマ分割体とが閉じた状態をより強力に維持できる。
【発明の効果】
【００１４】
本願発明の被覆剥ぎコマによれば、一括で被覆剥ぎを行う場合に、最適な構造により、剥離された被覆が脱落しないようにできる。
【図面の簡単な説明】
【００１５】
【図１】（ａ）は本願発明の被覆剥ぎコマを取り付けるためのコマ駆動工具の正面図、（ｂ）は当該コマ駆動工具の側面図である。
【図２】コマ駆動工具のコマフォルダ周辺を拡大した正面図である。
【図３】（ａ）は本願発明の被覆剥ぎコマの正面図、（ｂ）は当該被覆剥ぎコマの側面図、（ｃ）は当該被覆剥ぎコマの平面図である。
【図４】本願発明の被覆剥ぎコマを開いた状態の平面図である。
【図５】（ａ）は本願発明の被覆剥ぎコマをコマ駆動工具に取り付けた状態の正面図、（ｂ）は被覆剥ぎコマをコマ駆動工具に取り付けた状態の側面図である。
【図６】（ａ）は本願発明の被覆剥ぎコマをコマ駆動工具に取り付けた状態で、電線の被覆の剥離を実施している様子を示した正面図、（ｂ）は当該様子を示す側面図、（ｃ）は剥離作業が完了した様子を示した正面図である。
【図７】（ａ）は本願発明の変形例に係る被覆剥ぎコマの正面図、（ｂ）は当該被覆剥ぎコマの側面図、（ｃ）は当該被覆剥ぎコマの平面図である。
【図８】（ａ）は本願発明の変形例に係る被覆剥ぎコマをコマ駆動工具に取り付けた状態で、電線の被覆の剥離を実施している様子を示した正面図、（ｂ）は剥離作業が完了した様子を示した正面図である。
【符号の説明】
【００１６】
１００        コマ駆動工具
２００        コマ分割体
２２０        挟持面
２５０        被覆剥取刃
２６０        被覆脱落防止部
２６１        保持板（先端側保持部）
２６２        保持板（後端側保持部）
３００        コマ分割体
３２０        挟持面
４００        被覆剥ぎコマ
【発明を実施するための形態】
【００１７】
まず、本願発明に係る被覆剥ぎコマ４００を取り付けるためのコマ駆動工具１００について説明するが、このコマ駆動工具１００は外部動力により電線の軸周りに被覆剥ぎコマ４００を回転させるものであり、コマ駆動工具１００自体は既に公知のものであるので（例えば特許文献１にも開示されている）、ここでは簡単に説明する。
【００１８】
＜コマ駆動工具１００について＞
図１及び図２に示すように、このコマ駆動工具１００は、大別して、駆動部１１０と、回転駆動部１２０と、この回転駆動部１２０に内蔵されているコマフォルダ１３０とで構成される。駆動部１１０は、図示しない下方の電動又は手動の正逆転可能な外部動力と連結され、その外部動力からの駆動力を上方の回転駆動部１２０のコマフォルダ１３０に伝達するものである。さらに、外部動力と連結される連結軸１１４が下方に設けられ、その連結軸１１４の中間部１１５は、筒状ケーシング１１６内に装着されたベアリング１１７によって回転自在に軸支されている。
【００１９】
この回転駆動部１２０は、連結軸１１４からの駆動力を受けてコマフォルダ１３０を正逆方向に回動させるもので、上部の部分傘歯車１２１と下部の部分傘歯車１２２とを備え、それぞれの内側端部が枢支ピン１２３で連結されている。また、下部の部分傘歯車１２２は、連結軸１１４と連結しており、連結軸１１４が回転すると部分傘歯車１２１と部分傘歯車１２２は、一体となって筒状ケーシング１１６の内面を摺動しつつ回動することができる。さらに、それぞれの部分傘歯車１２１及び部分傘歯車１２２は、それぞれの内周面に、図３に示すコマ分割体３００を取り付けるためのコマフォルダ分割体１３１と、図３に示すコマ分割体２００を取り付けるためのコマフォルダ分割体１３２とを保持できるスペースを備えている。
【００２０】
また、図２に示すように、コマフォルダ１３０は、コマフォルダ分割体１３１及びコマフォルダ分割体１３２から構成されており、このコマフォルダ分割体１３１及びコマフォルダ分割体１３２は、二つ割りの半円状のもので、それぞれの端部が枢支ピン１２３で開閉自在に枢支されている。
【００２１】
なお、フック１４０は、コマフォルダ１３０が正転中（図の矢印方向）に口を開かないようにするものであり、全体がコマフォルダ分割体１３１側のピン１４１に枢支され、コマフォルダ１３０が正転中は、コマフォルダ分割体１３２側のピン１４２に先端１４３が掛け止めされている。
【００２２】
＜被覆剥ぎコマ４００について＞
次に、図３を参照して、本願発明の被覆剥ぎコマ４００について説明する。この被覆剥ぎコマ４００は、金属性のコマ分割体２００とコマ分割体３００とから構成されている。このコマ分割体２００及びコマ分割体３００は、いずれも、筒体を中央面Ｆを境目にして半割り状にした形状で、連結部２１０及び連結部３１０によって、互いに分離及び連結できるようになっている。
【００２３】
そして、このコマ分割体２００の連結部２１０は貫通孔を備えた筒型形状で、コマ分割体２００の先端側に形成されている。一方のコマ分割体３００の連結部３１０も、貫通孔を備えた筒型形状で、コマ分割体３００の先端側に形成されている。そして、軸部材Ｐを、連結部２１０及び連結部３１０の両方の貫通孔に挿通させることで、コマ分割体２００とコマ分割体３００は互いに、軸部材Ｐを中心として開閉可能に連結されることになる。
【００２４】
また、コマ分割体２００及びコマ分割体３００のそれぞれには、断面が半円形状の挟持面２２０及び挟持面３２０が、被覆剥ぎコマ４００の先端側から後端側まで連続するように形成されている。この挟持面２２０及び挟持面３２０は、中央面Ｆに対して対称な形状をしているので、図３（ａ）に示すように、コマ分割体２００とコマ分割体３００とを中央面Ｆで互いに閉じた状態では、円筒状になる。そして、この円筒状になった挟持面２２０と挟持面３２０で、電線の周囲を囲むように挟持することができる。
【００２５】
また、コマ分割体２００及びコマ分割体３００のそれぞれの後端側には、フランジ部２３０及びフランジ部３３０が形成され、そのフランジ部２３０及びフランジ部３３０のそれぞれには貫通孔２３１及び貫通孔３３１が形成されている。
【００２６】
さらに、当該フランジ部２３０及びフランジ部３３０の後端側には、半円状の挿入部２４０及び挿入部３４０が形成されている。この挿入部２４０及び挿入部３４０の内面には、それぞれ挟持面２２０及び挟持面３２０が連続して形成されている。また、挿入部２４０及び挿入部３４０のそれぞれの外径は、コマフォルダ１３０のコマフォルダ分割体１３１及びコマフォルダ分割体１３２の内径以下となっており、挿入部２４０及び挿入部３４０のそれぞれをコマフォルダ分割体１３１及びコマフォルダ分割体１３２の内側に差し込むように、取り付けることができる。
【００２７】
また、コマ分割体２００には、平面視略長方形の被覆剥取刃２５０が取り付けられており、被覆剥取刃２５０の先端２５１は、図３（ａ）に示すように、挟持面２２０の内側表面から突出している。そのため、被覆剥ぎコマ４００が電線を挟持した状態では、先端２５１が電線の被覆に臨むように取り付けられることになり、後述するように、被覆剥ぎコマ４００が回動すれば、先端２５１が被覆に切り込み、被覆を剥ぎ取ることができるのである。
【００２８】
また、図３（ａ）に示すように、コマ分割体３００の挟持面３２０の端部３２３は、コマ分割体２００とコマ分割体３００を閉じた状態で、被覆剥取刃２５０の先端２５１から離間している。そのため、後述するように、被覆剥取刃２５０により剥ぎ取られた被覆を、先端２５１と端部３２３の間を介して、被覆剥取刃２５０の後方へ送り出すことができる。さらに、端部３２３から連続するように傾斜面３２２が形成されているので、剥ぎ取られた被覆を被覆剥取刃２５０の後方へ向けて案内しやすくなっている。なお、被覆剥取刃２５０及びその先端２５１は、被覆剥ぎコマ４００が電線を挟持した状態で、当該電線の軸（図６に示す軸Ｚを参照）と平行になるように配置されている。
【００２９】
また、被覆剥取刃２５０の後方には、被覆脱落防止部２６０が取り付けられている。この被覆脱落防止部２６０は、互いに相対するように配置された後端側保持部２６１及び先端側保持部２６２から構成されている。そして、この後端側保持部２６１は、被覆剥取刃２５０に対して略直角に立設した板部材である。一方、先端側保持部２６２は、先端側が被覆剥取刃２５０に対して傾斜した板部材である。
【００３０】
なお、「後方」とは、被覆剥ぎコマ４００が電線を挟持した状態で、被覆剥取刃２５０を基準として、電線が位置する側を「前方」と定義した場合に、被覆剥取刃２５０を挟んで、その「前方」の反対側のことを意味する。詳しくは後述するが、被覆剥取刃２５０の前方側で、被覆剥取刃２５０により電線の被覆が剥ぎ取られ、その剥ぎ取られて後方に送り出された被覆を、被覆脱落防止部２６０が保持する。
【００３１】
次に、図４には、コマ分割体２００とコマ分割体３００を開いた状態での平面図を示す。被覆脱落防止部２６０の先端側保持部２６２は、相対する後端側保持部２６１に向けて傾斜しているので、被覆脱落防止部２６０の幅Ｌ１は、被覆剥取刃２５０の幅Ｌ２よりも狭い。言い換えると、後端側保持部２６１と先端側保持部２６２との間隔は、被覆剥取刃２５０の幅よりも狭くなっている。
【００３２】
また、コマ分割体２００及びコマ分割体３００の内面には、先端から後端側まで、それぞれ挟持面２２０及び挟持面３２０が連続して形成されている。そして、当該挟持面２２０と挟持面３２０には、それぞれ複数の突条（線状に連続した突起部）２２１及び突条３２１が、半円周分づつ形成されている。具体的には、複数の突条２２１は、挟持面２２０の表面から突出し、互いに所定間隔で平行に形成されている。さらに、突条２２１は、被覆剥取刃２５０に直交するように形成されている。
【００３３】
一方、複数の突条３２１も同様に、挟持面３２０の表面から突出し、互いに所定間隔で平行に形成されている。さらに、突条３２１は、被覆剥取刃２５０に直交するように形成されている。そのため、コマ分割体２００とコマ分割体３００を閉じた状態では、突条２２１と突条３２１はそれぞれ電線の周方向に連続したリング状となる。
【００３４】
特に、電線の周囲に雪が着きにくくするためのヒレＫ（突起）が形成された「ヒレつき電線（難着雪電線）」の被覆を剥ぐ場合、この突条２２１及び突条３２１の内径は、当該電線のヒレＫが形成された被覆部分の外径よりも僅かに小さくなっているので、被覆剥ぎコマ４００により電線を挟持すると、電線の被覆のヒレＫに突条２２１及び突条３２１が食い込むことになる。
【００３５】
では、次に、本願発明の被覆剥ぎコマ４００をコマ駆動工具１００に取付け、電線の被覆を剥ぎ取る作業について、図５及び図６を参照して説明する。なお、図６では、説明の都合上、コマフォルダ１３０を一点鎖線で表し、詳細な構造を省略している。
【００３６】
まず、図５に示すように、被覆剥ぎコマ４００をコマ駆動工具１００の正面側から取り付ける。具体的には、コマフォルダ１３０のコマフォルダ分割体１３２の内面に、コマ分割体２００の挿入部２４０を差し込む様に宛がい、一方、コマフォルダ１３０のコマフォルダ分割体１３１の内面に、コマ分割体３００の挿入部３４０を差し込む様に宛がう。その際に、コマ分割体２００の貫通孔２３１を、コマフォルダ分割体１３２の表面に設けられたフック受けピン１３３に嵌め込む。同様に、コマ分割体３００の貫通孔３３１を、コマフォルダ分割体１３１の表面に設けられたフック受けピン１３３に嵌め込む。これにより、被覆剥ぎコマ４００のコマフォルダ１３０への取付けが完了する。
【００３７】
なお、この嵌め込みが外れないように、フック１３４をフック受けピン１３３に掛けておく。一方、被覆剥ぎコマ４００をコマフォルダ１３０から取り外す際は、フック１３４をフック受けピン１３３から外し、被覆剥ぎコマ４００を正面側に引き抜けばよい。また、以下では、コマフォルダ１３０と被覆剥ぎコマ４００との連結箇所である、貫通孔２３１とフック受けピン１３３からなる部分を取付部２３４と呼び、同様に、貫通孔３３１とフック受けピン１３３からなる部分を取付部３３４と呼ぶ。
【００３８】
次に、図５に示すようにコマフォルダ分割体１３１とコマフォルダ分割体１３２が開いた状態で、その開口部Ｏから電線Ｗを通す。そして、コマフォルダ分割体１３１とコマフォルダ分割体１３２を互いに閉じると、コマ分割体２００及びコマ分割体３００も閉じ、図６に示すように、電線Ｗの周囲を挟持面２２０と挟持面３２０で挟持することができる。
【００３９】
この状態で、外部動力により、コマ駆動工具１００の連結軸１１４を正転又は逆転させると、その動力がコマフォルダ１３０に伝わり、コマフォルダ１３０が電線Ｗの周方向に正転又は逆転することになる。
【００４０】
そして、図６（ａ）及び（ｂ）に示すように、外部動力により連結軸１１４を正転させると、コマフォルダ１３０が時計回りに回転し、コマフォルダ１３０に取り付けられた被覆剥ぎコマ４００も同様に、電線Ｗの周囲を時計周りに回転していく。そして、被覆剥取刃２５０の先端２５１は挟持面２２０から突出し、電線Ｗの被覆Ｇに接触しているので、被覆剥ぎコマ４００の回転に伴い、被覆Ｇを剥離していくことができる。なお、被覆剥ぎコマ４００は電線Ｗの軸Ｚ方向に移動せずに、電線Ｗを挟持した場所で、そのまま電線Ｗの周方向に回転するだけであり、これにより、決められた所定の長さ、つまり被覆剥取刃２５０の長さ分だけ（図４に示す幅Ｌ２だけ）、被覆を一括で剥ぎ取るのである。なお、被覆剥取刃２５０の長さは、一括で剥離したい被覆の軸方向の長さに応じて、適宜変更すればよく、本実施例では、剥ぐ被覆の軸方向の長さは、４０ｍｍを想定している。
【００４１】
その際、図６（ａ）及び（ｂ）に示すように、剥ぎ取られた被覆Ｇは順次、被覆剥取刃２５０の後方へ送り出されることになるが、被覆Ｇの先端Ｈ側は、後端側保持部２６１と先端側保持部２６２に挟まれて、電線Ｗの軸Ｚ方向に圧縮されることなる。
【００４２】
さらに、そのまま、被覆剥ぎコマ４００を時計回りに回転させ、被覆剥ぎコマ４００が電線Ｗの周囲を一周すると、図６（ｃ）に示す状態となる。被覆剥取刃２５０が電線Ｗの周囲の被覆Ｇを全て剥ぎ取ったため電線Ｗの導線部分Ｆだけが残り、被覆Ｇは環状に剥ぎ取られて、被覆脱落防止部２６０内に保持されている。
【００４３】
このように、本願発明の被覆剥ぎコマ４００によれば、被覆脱落防止部２６０の後端側保持部２６１と先端側保持部２６２の間隔が、被覆剥取刃２５０の幅よりも狭くなっているので、被覆剥取刃２５０の後方へ送り出された被覆Ｇを圧縮して、脱落しないように保持することができる。具体的には、被覆剥取刃２５０で剥ぎ取られた被覆Ｇの幅（電線Ｗの軸Ｚ方向の長さ）は、被覆剥取刃２５０の幅（軸Ｚ方向の長さ）と同じになるので、当該幅より狭い間隔の後端側保持部２６１と先端側保持部２６２とで挟まれて、圧縮されることになる。したがって、剥ぎ取られた被覆Ｇは、図６（ｃ）に示すように、被覆脱落防止部２６０内に確実に保持される。
【００４４】
なお、従来のように被覆Ｇが螺旋上に剥ぎ取られると、圧縮方向以外に自由に伸縮できてしまい、剥ぎ取られた被覆Ｇは被覆脱落防止部２６０外へ飛び出してしまう可能性がある。しかし、本願発明の場合は、環状に剥ぎ取られた被覆Ｇを対象としており、環状に剥ぎ取られた被覆Ｇは圧縮方向以外へは伸縮し難いため、圧縮された場所に留まりやすく、被覆脱落防止部２６０内に保持される。そのため、一括で被覆剥ぎを行い、環状に被覆が剥ぎ取られる場合には、本願の被覆脱落防止部２６０の構造は簡単かつ最適な構造となる。また、剥ぎ取られた被覆Ｇが環状に丸まるのは、被覆脱落防止部２６０の働きによるものではなく、被覆Ｇの弾性復元力により、元の形状に戻ろうとしたためである。
【００４５】
また、図６（ｂ）に示すように、連結部２１０及び連結部３１０は、取付部２３４及び取付部３３４とは反対の先端側に位置しているが、当該配置に限定されることはなく、取付部２３４及び取付部３３４から先端までの間の任意の場所に配置しても良い。ただ、図６（ｂ）に示しように、連結部２１０及び連結部３１０を取付部２３４及び取付部３３４とは反対の先端側に位置させることで、コマ分割体２００及びコマ分割体３００とが閉じて、電線Ｗを挟持した状態をより強力に維持できる。
【００４６】
詳しく説明すると、まず、電線Ｗの被覆Ｇを被覆剥取刃２５０で剥離する際は、被覆剥取刃２５０は被覆Ｇから大きな抵抗力を受けるため、その抵抗力により、コマ分割体２００及びコマ分割体３００には、互いに開く方向へ力がかかることになる。そして、取付部２３４及び取付部３３４側は、コマフォルダ１３０と直接固定されているので開きにくいが、コマフォルダ１３０と直接固定されていない、取付部２３４及び取付部３３４の反対側の先端側ほど、コマ分割体２００及びコマ分割体３００が互いに開きやすくなる。
【００４７】
そこで、取付部２３４及び取付部３３４とは反対の先端側に、連結部２１０及び連結部３１０を配置することで、コマ分割体２００及びコマ分割体３００とが閉じた状態をより強力に維持できるのである。特に、本願の被覆剥ぎコマ４００では、所定の長さだけ被覆を一括で剥離するため、その剥離したい被覆の長さに応じて、被覆剥取刃２５０の幅が長くなる場合もある。すると、被覆を剥離する際に受ける抵抗力は、その長くなった分大きくなる。よって、このような場合に、取付部２３４及び取付部３３４とは反対の先端側に、連結部２１０及び連結部３１０を配置することが、特に有効に働くのである。
【００４８】
また、図６（ｂ）に示すように、被覆脱落防止部２６０の先端側保持部２６２は、後端側保持部２６１に向けて傾斜している。そして、被覆剥取刃２５０の後方へ順次送り出されてくる被覆Ｇの先端Ｈは、先端側保持部２６２の傾斜に沿って後方へ徐々に進んで行く。そのため、被覆Ｇの先端Ｈを、その傾斜に沿って、徐々にスムーズに圧縮させることができるのである。
【００４９】
なお、本実施例では、後端側保持部２６１は被覆剥取刃２５０に対して略直角に立設し、先端側保持部２６２は被覆剥取刃２５０に対して傾斜するように立設することで、互いの間隔が、被覆剥取刃２５０の幅よりも狭くなる構造であるが、これに限定されることはなく、後端側保持部２６１と先端側保持部２６２の間隔が被覆剥取刃２５０の幅より狭くなることで、被覆剥取刃２５０と同じ幅に剥ぎ取られた被覆を圧縮して、脱落を防止できる構造であればよい。例えば、互いの間隔が被覆剥取刃２５０の幅より狭ければ、後端側保持部２６１及び先端側保持部２６２は互いに平行であってもよい。ただ、図６（ｂ）に示す先端側保持部２６２のように傾斜していると、徐々に互いの間隔が狭くなるので、剥ぎ取られた被覆をよりスムーズに圧縮することができる。当然ながら、先端側保持部２６２ではなく、後端側保持部２６１を傾斜させてもよいし、また、先端側保持部２６２及び後端側保持部２６１の両方を互いに傾斜させてもよい。
【００５０】
また、図６（ｂ）に示すように、コマ分割体２００及びコマ分割体３００のそれぞれの挟持面には、複数の突条２２１及び突条３２１が、電線Ｗの軸Ｚ周りの周方向に形成されている。そして、被覆Ｇを剥ぎ取る際は、この突条２２１及び突条３２１が被覆ＧのヒレＫに食い込みながら、被覆剥ぎコマ４００が回転するので、電線Ｗは被覆剥ぎコマ４００の中心に強く保持される共に、被覆剥ぎコマ４００が電線Ｗの周方向へ向けて回転する強力な推進力も発生する。
【００５１】
また、剥ぎ取られた被覆Ｇは、その推進力により、被覆剥取刃２５０の後方の被覆脱落防止部２６０へと、強力な力で押し出されていく。さらに、突条２２１及び突条３２１は、被覆剥取刃２５０に直交するように配置されていることから、剥ぎ取られた被覆Ｇの進む向きは、この突条２２１及び突条３２１により、被覆剥取刃２５０の後方の被覆脱落防止部２６０に向けて方向付けられる。すると、被覆Ｇは、相対する先端側保持部２６２及び後端側保持部２６１の間に向けて強く押し出されるので、この先端側保持部２６２及び後端側保持部２６１によって効果的に圧縮されるのである。
【００５２】
なお、当該効果は、被覆ＧのヒレＫに突条２２１及び突条３２１が食い込むことで発揮されると説明しているが、被覆ＧにヒレＫがない場合であっても、当該効果と同様の発揮は発揮される。具体的には、図６（ａ）に示すように、被覆剥取刃２５０の先端２５１は、挟持面２２０の表面から、相対する挟持面３２０に向けて突出しているので、被覆Ｇを剥ぎ取る際は、この先端２５１が、ヒレのない被覆Ｇを挟持面３２０に押し当てている。そのため、挟持面３２０の突条３２１が、ヒレのない被覆Ｇに食い込みながら、被覆剥ぎコマ４００は電線Ｗの周方向へ向けて回転することになる。その結果、剥ぎ取られた被覆Ｇは、被覆脱落防止部２６０へと、強力な力で押し出されていく。そして、突条３２１は、被覆剥取刃２５０に直交するように配置されていることから、剥ぎ取られた被覆Ｇの進む向きは、被覆脱落防止部２６０に向けて方向付けられる。すると、被覆Ｇは、相対する先端側保持部２６２及び後端側保持部２６１の間に向けて強く押し出されるので、この先端側保持部２６２及び後端側保持部２６１によって効果的に圧縮されるのである。
【００５３】
＜変形例について＞
では、次に、図７及び図８を参照して、本願発明の被覆剥ぎコマ４００の変形例である被覆剥ぎコマ４００Ａについて説明する。なお、図７及び図８に示すように、被覆剥ぎコマ４００Ａは、電線ＷＡ（図８参照）の外径に合わせて、挟持面２２０Ａ及び挟持面３２０Ａの内径を小さくした点、及び、係止部材３５０Ａを設けた点、並びに、被覆剥取刃２５０Ａに突出部２５２Ａを設けた点が、図３に示す被覆剥ぎコマ４００とは異なるが、他の点においては、被覆剥ぎコマ４００と同じ構成なので詳細な説明は省略する。なお、図８では、説明の都合上、コマフォルダ１３０を一点鎖線で表し、詳細な構造を省略している。
【００５４】
まず、図７に示すように、被覆剥ぎコマ４００Ａが対象とする電線ＷＡは、図６に示す電線Ｗより外径が小さいため、その外径に合わせて、電線ＷＡをしっかりと挟持できるように、挟持面２２０Ａ及び挟持面３２０Ａの内径を小さくしている。
【００５５】
また、電線ＷＡの被覆ＧＡを剥ぎ取る際は、図５及び図６を参照して説明したのと同様に、コマ分割体２００Ａとコマ分割体３００Ａとが開いた状態で、その開口部Ｏから電線ＷＡを被覆剥ぎコマ４００Ａの中心に通す。ただ、電線ＷＡは外径が小さいので、被覆剥ぎコマ４００Ａの中心に上手く通すことが困難な場合もある。そこで、略Ｕ字状の係止部材３５０Ａを、挟持面３２０Ａの両端部に設けた。そして、この係止部材３５０Ａを電線ＷＡに引っ掛けるようにすれば、電線ＷＡは係止部材３５０Ａに案内されて、被覆剥ぎコマ４００Ａの中心に簡単に誘導されるのである。
【００５６】
次に、図８（ａ）に示すように、被覆剥ぎコマ４００Ａをコマ駆動工具１００のコマフォルダ１３０に取付け、外部動力により、被覆剥ぎコマ４００Ａを時計回りに回転させる。すると、被覆剥取刃２５０Ａの先端２５１Ａは、電線ＷＡの被覆ＧＡに接触しているので、被覆剥ぎコマ４００Ａの回転に伴い、被覆ＧＡを剥離していく。
【００５７】
ただ、電線ＷＡは外径が小さいので、剥ぎ取られた被覆ＧＡの先端ＨＡ側は、被覆剥取刃２５０Ａの先端２５１Ａに近い位置で丸まってしまう可能性がある。すると、先端２５１Ａ側で被覆ＧＡが丸まってしまい、被覆脱落防止部２６０Ａ内で、被覆ＧＡを上手く保持できない虞がある。
【００５８】
そこで、先端２５１Ａの後方に、被覆剥取刃２５０Ａの上面から突出する突出部２５２Ａを設けた。すると、図８（ａ）に示すように、被覆ＧＡの先端ＨＡが突出部２５２Ａに引っ掛かり、その突出部２５２Ａに引っ掛かった部分を起点に、先端２５１Ａの後方の被覆脱落防止部２６０Ａ内で、被覆ＧＡは丸まろうとする。そして、そのまま、被覆剥ぎコマ４００Ａを時計回りに回転させ、被覆剥ぎコマ４００Ａが電線ＷＡの周囲を一周すると、図８（ｂ）に示す状態となる。被覆剥取刃２５０Ａが電線ＷＡの周囲の被覆ＧＡを全て剥ぎ取ったため、電線ＷＡの導線部分ＦＡだけが残り、被覆ＧＡは環状に剥ぎ取られて、被覆脱落防止部２６０Ａ内で圧縮されて保持されている。
【００５９】
なお、図７（ｃ）に示すように、被覆剥取刃２５０Ａの突出部２５２Ａは、被覆剥取刃２５０Ａの全長にわたり直線状に、かつ断面略三角形状に形成されているが、これに限定されない。突出部２５２Ａは、先端２５１Ａの後方に設けられると共に、剥離された電線ＷＡの先端ＨＡが引っ掛かるように被覆剥取刃２５０Ａの表面から突出していれば、どのような形状であってもよい。
【００６０】
なお、本願発明の被覆剥ぎコマは、上記の実施例に限定されず、特許請求の範囲に記載された範囲、実施形態の範囲で、種々の変形例、組み合わせが可能であり、これらの変形例、組み合わせもその権利範囲に含むものである。
【図１】
0006647710.tif 000002
【図２】
0006647710.tif 000003
【図３】
0006647710.tif 000004
【図４】
0006647710.tif 000005
【図５】
0006647710.tif 000006
【図６】
0006647710.tif 000007
【図７】
0006647710.tif 000008
【図８】
0006647710.tif 000009